(57)【要約】      （修正有）【課題】意匠部材の破壊を防止することができる遊技機を提供する。【解決手段】電子回路基板６０と、電子回路基板６０の裏面側に配置され電子回路基板６０を支持する支持部材６１と、電子回路基板６０の表面側に配置される意匠部材６４と、を有し、意匠部材６４は、電子回路基板６０の表面に対向する対向面と、対向面から電子回路基板６０の側方に向けて延出する側壁部２０１と、を備え、支持部材６１は、電子回路基板６０の裏面に対向する板状部８０と、側壁部２０１と電子回路基板６０との間に配置され板状部８０から対向面に向けて延出する壁部８１と、壁部８１から側壁部２０１に向けて突出するリブ１１０と、を備え、リブ１１０の突出方向先端の面は、側壁部２０１の延出方向先端部の内側面と当接または近接している。【選択図】図１２
2018196475.tif 000002
【特許請求の範囲】
【請求項１】
電子部品を備える電子回路基板と、当該電子回路基板の裏面側に配置され当該電子回路基板を支持する支持部材と、当該電子回路基板の表面側に配置される意匠部材と、を有する遊技機であって、
前記意匠部材は、前記電子回路基板の表面に対向する対向面と、当該対向面から前記電子回路基板の側方に向けて延出する側壁部と、を備え、
前記支持部材は、前記電子回路基板の裏面に対向する板状部と、前記側壁部と前記電子回路基板との間に配置され前記板状部から前記対向面に向けて延出する壁部と、当該壁部から前記側壁部に向けて突出するリブと、を備え、
前記リブの突出方向先端の面は、前記側壁部の延出方向先端部の内側面と当接または近接していることを特徴とする遊技機。
【請求項２】
前記意匠部材は、その外面の少なくとも一部に形成された導電性を有する導電部を備えることを特徴とする請求項１に記載の遊技機。
【請求項３】
前記電子回路基板の表面と前記対向面との間に配置される第二の板状部と、
当該第二の板状部から前記板状部側に向けて延出し、前記壁部の内側面に外側面が近接または当接する第二の壁部と、
を備える中間部材を有することを特徴とする請求項１または２に記載の遊技機。
【発明の詳細な説明】
【技術分野】
【０００１】
本発明は、遊技機に関する。
【背景技術】
【０００２】
スロットマシンやパチンコ遊技機等の遊技機においては、遊技機のデザイン性を高めるために、意匠が施された意匠部材を備えることがある。また、意匠部材の内側には、照明用の照明基板や、意匠部材（可動役物）を動かすための基板、あるいは音声制御用の基板等の電子回路基板が、支持部材に支持されて配置されることがある（例えば、特許文献１参照）。そして、意匠部材を照明基板により照らして遊技機を装飾したり、意匠部材を基板の制御により動かして遊技を盛り上げるための演出をしたりする。
【先行技術文献】
【特許文献】
【０００３】
【特許文献１】特開２０１２−２００５２５号公報
【発明の概要】
【発明が解決しようとする課題】
【０００４】
ところで、電子回路基板を支持する支持部材は、製造コストの観点から大きくすることが好ましくない場合や、他の部材との構造上の関係から形状が決まってしまう場合等がある。一方で、意匠部材は、デザイン性を高めるために大きくしたい場合や、電子回路基板等からある程度距離をとって配置したい場合等がある。このため、意匠部材と支持部材との間には隙間ができてしまうことがある。しかし、意匠部材と支持部材との間に大きな隙間があると、意匠部材が外力によって変形しやすくなってしまい、意匠部材が破壊されやすくなってしまうという問題がある。
【０００５】
本発明は、前記事情に鑑みてなされたもので、意匠部材の破壊を防止することができる遊技機を提供することを目的とする。
【課題を解決するための手段】
【０００６】
前記目的を達成するために、本発明の遊技機は、電子部品を備える電子回路基板と、当該電子回路基板の裏面側に配置され当該電子回路基板を支持する支持部材と、当該電子回路基板の表面側に配置される意匠部材と、を有する遊技機であって、前記意匠部材は、前記電子回路基板の表面に対向する対向面と、当該対向面から前記電子回路基板の側方に向けて延出する側壁部と、を備え、前記支持部材は、前記電子回路基板の裏面に対向する板状部と、前記側壁部と前記電子回路基板との間に配置され前記板状部から前記対向面に向けて延出する壁部と、当該壁部から前記側壁部に向けて突出するリブと、を備え、前記リブの突出方向先端の面は、前記側壁部の延出方向先端部の内側面と当接または近接していることを特徴とする。
【０００７】
本発明においては、支持部材がリブを備えており、意匠部材の側壁部は、支持部材の壁部から、リブの突出方向の高さ分以上離れた位置に配置されている。しかし、意匠部材の側壁部の、延出方向先端部の内側面は、支持部材のリブに当接または近接しているため、側壁部に意匠部材の内側に向けた力が加えられた際に、側壁部は内側からリブによって支持される。したがって、意匠部材の側壁部を支持部材の壁部から離して配置しても、意匠部材の剛性を保つことができ、意匠部材が破壊されやすくなるのを防ぐことができる。すなわち、意匠部材の側壁部が支持部材の壁部から離れてしまう構成の場合であっても、意匠部材が破壊されやすくなるのを防ぐことができる。
【０００８】
また、本発明の前記構成において、前記意匠部材は、その外面の少なくとも一部に形成された導電性を有する導電部を備えることが好ましい。
【０００９】
このような場合、意匠部材の外面に形成された導電部に人が触れた際等に静電気が発生することがある。また、意匠部材が、メダルや遊技球等の遊技媒体が通過する場所に配置されている場合、遊技媒体が導電部に衝突することで、静電気が発生することもある。また、この発生した静電気は、意匠部材の対向面および側壁部を避けるようにして電子回路基板に向かうことがある。そして、この静電気が電子回路基板に伝わることで、電子回路基板が破壊されてしまうおそれがある。
ここで、本構成においては、支持部材がリブを備えていることにより、意匠部材の側壁部は、壁部に近接または当接して配置されている場合に比べ、リブの突出方向の高さ分だけ、電子回路基板から離れて配置されている。そして、側壁部が電子回路基板から離れていることにより、側壁部を回り込んで導電部から電子回路基板に向かう静電気の放電経路も長くなっている。したがって、導電部から伝わる静電気によって、電子回路基板が破壊されるのを防ぐことができる。
【００１０】
このように側壁部を壁部から離して配置することにより静電気の放電経路を長くした場合に、従来であれば、側壁部と壁部との間に大きな隙間ができてしまい、意匠部材が破壊されやすくなってしまう。しかし、本構成においては、上述のようにリブによって意匠部材の剛性を保つことができ、意匠部材が破壊されやすくなるのを防ぐことができる。すなわち、側壁部を電子回路基板から遠ざけて配置することで静電気による電子回路基板の破壊を防止しているとともに、このことにより意匠部材の剛性が損なわれることがないようになっている。
【００１１】
また、本発明の前記構成において、前記電子回路基板の表面と前記対向面との間に配置される第二の板状部と、当該第二の板状部から前記板状部側に向けて延出し、前記壁部の内側面に外側面が近接または当接する第二の壁部と、を備える中間部材を有することが好ましい。
【００１２】
このような構成によれば、意匠部材の側壁部に、意匠部材の内側に向けた力が加えられた際に、リブを介して当該力が伝わる壁部は、第二の壁部によって支持される。すなわち、意匠部材は、リブおよび第二の壁部によって支持される。したがって、意匠部材の剛性を高め、意匠部材を破壊されにくくすることができる。
【００１３】
また、中間部材は、壁部の内側面に外側面が近接または当接する第二の壁部と、この第二の壁部が延出し、電子回路基板の表面と意匠部材の対向面との間に配置される第二の板状部とを備えているので、意匠部材が導電部を備える場合に、支持部材の壁部を迂回して導電部から電子回路基板に向かう静電気は、中間部材によって進行が妨げられ、中間部材を迂回して電子回路基板に向かうこととなる。したがって、導電部から電子回路基板に向かう静電気の放電経路を長くすることができ、この静電気によって電子回路基板が破壊されるのを防止することができる。
【発明の効果】
【００１４】
本発明の遊技機によれば、意匠部材の破壊を防止することができる。
【図面の簡単な説明】
【００１５】
【図１】本発明の実施の形態に係る遊技機の一例を示すもので、その斜視図である。
【図２】同、照明装置を示す分解斜視図である。
【図３】同、照明基板を示すもので、（ａ）は正面図、（ｂ）は背面図である。
【図４】同、支持部材を示すもので、前側から見た斜視図である。
【図５】同、支持部材を示すもので、後側から見た斜視図である。
【図６】同、照明基板の支持部材への取付状態を示す正面図である。
【図７】同、静電気防止部材を示すもので、後側から見た斜視図である。
【図８】同、照明装置を示す正面図である。
【図９】同、意匠部材を示すもので、後側から見た斜視図である。
【図１０】同、意匠部材の側壁部と支持部材のリブとについて説明するための図であって、照明装置の要部を左側から見た断面図である。
【図１１】同、照明装置の分解斜視図である。
【図１２】同、静電気の放電経路を説明するための図であって、図８のＡ−Ａ線断面図の一部を示す図である。
【図１３】同、静電気の放電経路を説明するための図であって、図８のＢ−Ｂ線断面図の一部を示す図である。
【発明を実施するための形態】
【００１６】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１７】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１８】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１９】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＸでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
【００２０】
また、上扉３０の上部中央には、表示窓３１の上方に表示窓３２が設けられている。この表示窓３２は上扉３０に設けられた液晶パネルを有する画像表示装置の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部には、報知や演出などを行うための照明装置３４，３５が前後に隣接して設けられ、表示窓３２と表示窓３１との間には報知や演出などを行うための横長の照明装置３６が設けられている。
また、上扉３０の左右両側部には、報知や演出などを行うための照明装置３７が合計４個設けられている。
【００２１】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２２】
なお、このスロットマシンＸは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＸは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２３】
また、下扉４０の上部には、スロットマシンＸを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２４】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２５】
上述のように、上扉３０の表示窓３２の上部には、照明装置３５が設けられており、その前方には、照明装置３４が設けられている。照明装置３５は、スロットマシンＸの左側の端部から右側の端部にわたる長さの左右に長尺な部材であり、表示窓３２の上部の左右方向略全域にわたって設けられている。また、照明装置３４は、左右方向の長さが照明装置３５よりも短く、照明装置３５の中央部に設けられている。
【００２６】
照明装置３４は、図２に示すように、照明用の照明基板６０と、この照明基板６０を支持する支持部材６１と、支持部材６１に嵌入される静電気防止部材６２と、意匠が施された意匠シート６３および意匠部材６４と、を備えている。これらは、後方から前方に向けて、支持部材６１、照明基板６０、静電気防止部材６２、意匠シート６３、そして意匠部材６４の順に並べられている。また、意匠シート６３および意匠部材６４は、照明基板６０の光に照らされ、光るようになっている。
【００２７】
照明基板６０は、図３に示すように、左右に長い板状となっており、その板面を前後方向に向けて配置されている。また、照明基板６０は左側の領域６０Ａと、右側の領域６０Ｂと、左側の領域６０Ａおよび右側の領域６０Ｂよりも上下方向の幅が狭く、左側の領域６０Ａと右側の領域６０Ｂとを繋ぐ中間の領域６０Ｃと、を有している。
また、照明基板６０は、その前面（表面）および後面（裏面）に複数の電子部品を備える電子回路基板となっている。具体的には、照明基板６０は、その前面に光源としてのＬＥＤ７０を複数備えており、その後面に配線が接続されるコネクタ７１と図示しない複数のチップ抵抗とを備えている。また、照明基板６０は、照明基板６０の前面から後面に貫通し、基板の各層を繋ぐいわゆるビアを複数備えている。また、照明基板６０には、位置決め用の貫通孔７４が左右に離間して２つ設けられている。また、照明基板６０には、ネジを挿通させるためのネジ挿通孔７５が左右に離間して２つ設けられている。また、各ネジ挿通孔７５は、各貫通孔７４に隣接して設けられている。
【００２８】
照明基板６０の外面（前面、後面および側端面）には、導電性を有する導電部と、導電性を有しない非導電部とがある。ここで、照明基板６０の外面の導電部とは、電子部品の足（端子）、この電子部品の足がはんだ付け等により接合されるランドやスル―ホールおよびビア等の基板の配線（銅箔等）が露出している部分、ならびに電子部品自体の表層にある金属製の部分等の、照明基板６０の外面に露出している導電性を有する部分をいう。また、照明基板６０の外面の非導電部とは、主には照明基板６０の外面の、樹脂製の絶縁体の薄膜が付された部分であり、その他電子部品自体の表層にある非導電性の部分等を含む。なお、照明基板６０の側端面は、全体が非導電部となっている。
【００２９】
照明基板６０の中間の領域６０Ｃの上端部および下端部の外面には、導電部が配置されておらず、照明基板６０の設計時および製造時において、導電部を配置することが禁止された導電部禁止エリアＭ，Ｎとなっている。換言すると、照明基板６０は、その設計時および製造時に、中間の領域６０Ｃの前面上端部および下端部、中間の領域６０Ｃの側端面（上端面および下端面）ならびに中間の領域６０Ｃの後面上端部および下端部に導電部を配置することが禁止されている。この導電部禁止エリアＭ，Ｎは、中間の領域６０Ｃにおける照明基板６０の側端面から所定の範囲にわたり設定されている。また、導電部禁止エリアＭ，Ｎは、後述する支持部材６１の中間壁部９２（図６参照）に、照明基板６０の側端面が覆われていない部分に設定されている。
【００３０】
支持部材６１は、白色の非導電性の合成樹脂により一体的に成形されている。支持部材６１は、図４および図５に示すように、板状の背板８０と、この背板８０の周縁部を囲うように、かつ、背板８０から前方に突出するようにして設けられた囲繞壁部８１と、を備えている。また、囲繞壁部８１は、その後端部が背板８０の後面よりも後方に突出している。そして、背板８０と囲繞壁部８１とによって、背板８０の前面側に、照明基板６０が収容される照明基板収容部８２が形成されている。
背板８０の前面には、後方に向けて凹んだ凹部８５が形成されており、この凹部８５の形状は、照明基板６０の形状とほぼ等しくなっている。また、凹部８５には、前方に突出するボス８６が左右に離間して２つ設けられている。また、ボス８６にはネジ孔が形成されている。また、凹部８５の周縁部には、前方に突出する突出部８７が８つ設けられており、このうち３つは円柱状の円柱状突出部８７ａとなっている。また、８つの突出部８７は、凹部８５の周縁部に沿って互いに離間して設けられているとともに、凹部８５を形成する壁部と一体的に設けられている。
２つのボス８６の前端面および８つの突出部８７の前端面は面一となっている。また、ボス８６および突出部８７の高さは、凹部８５の高さ（深さ）よりも高くなっており、ボス８６および突出部８７は、背板８０の凹部８５を取り囲む部分よりも前方に突出している。また、凹部８５には、ボス８６よりも高さが高く、前方に突出する突起部８８が左右に離間して２つ設けられている。また、各突起部８８は、各ボス８６に隣接して設けられている。
また、凹部８５の中心部には、照明基板６０のコネクタ７１に接続される配線が通される長方形状の貫通孔８９が設けられている。
【００３１】
そして、照明基板６０は、図６に示すように、その後面をボス８６の前端面および突出部８７の前端面に当接させた状態で、照明基板収容部８２に収容されている。また、突起部８８が、照明基板６０の貫通孔７４に挿通されることで、照明基板６０の位置決めがなされているとともに、ネジ挿通孔７５に挿通されたネジが、ボス８６のネジ孔にねじ込まれることで、照明基板６０が支持部材６１に固定されている。ここで、照明基板６０の後面は、背板８０に対向しており、照明基板６０の後面に備えられたチップ抵抗等は、凹部８５の底部から浮いた状態となっている。また、照明基板６０の後面に備えられたコネクタ７１は、その前端部が貫通孔８９に挿入された状態となっている。
【００３２】
囲繞壁部８１と照明基板６０の側端面との間には間隔が設けられている。また、囲繞壁部８１は、照明基板６０の外周に沿った形状に形成されており、照明基板６０の周りを囲んでいる。換言すると、囲繞壁部８１は、照明基板６０の側端面全体を覆っている。
また、囲繞壁部８１と、照明基板６０との間には、複数の中間壁部９２が形成されている。中間壁部９２は、背板８０の前面に立設されており、照明基板６０の外周に沿った形状となっている。中間壁部９２には、照明基板６０の左側の領域６０Ａの下側の側端面の一部を覆う第一中間壁部９２ａと、右側の領域６０Ｂの下側の側端面全体を覆う第二中間壁部９２ｂと、左側の領域６０Ａと中間の領域６０Ｃとの境目付近上側の側端面を覆う第三中間壁部９２ｃと、右側の領域６０Ｂと中間の領域６０Ｃとの境目付近上側の側端面を覆う第四中間壁部９２ｄとの４つの中間壁部９２が存在する。また、第二中間壁部９２ｂと第三中間壁部９２ｃと第四中間壁部９２ｄとは、照明基板６０の側端面と近接しており、照明基板６０の側端面と一定の距離を保って設けられている。
中間壁部９２の前端面は、照明基板６０の前面よりも僅かに前方に突出している。また、照明基板６０の前面に設けられたＬＥＤ７０の前端部（頭頂部）は、中間壁部９２の前端面よりも前方に突出している。また、囲繞壁部８１の前端面は、中間壁部９２の前端面およびＬＥＤ７０の前端部よりも前方に突出している。
なお、中間壁部９２や囲繞壁部８１は、これらによって得られる後述する放電経路を長くする効果の観点からはその高さが高いほど好ましいが、必要とする放電経路の距離に応じて各壁部の高さを適宜設定すればよい。
【００３３】
背板８０の後面には、図５に示すように後方に突出するボス１００が４つ離間して設けられている。また、４つのボス１００は、背板８０の後面の縁部に沿って配置されるとともに、背面視における仮想略台形の４つの角部に配置されている。また、ボス１００は、前後に長尺であり、後方に向けて窄まった形状の円錐台の後ろに、この円錐台よりも径および高さが短くかつ後方に向けて窄まった形状の円錐台を、両円錐台の軸が一致するようにして並べた形状となっている。また、ボス１００にはネジ孔１００ａが形成されている。
また、背板８０の後面の中央部には、後方に向けて僅かに窄まった形状の角筒状（角錘台状）の突出部である角筒状突出部１０２が設けられている。角筒状突出部１０２は、貫通孔８９を囲うようにして背板８０の後面に立設されており、角筒状突出部１０２の中心の穴と貫通孔８９とは連通した１つの穴を形成している。そして、この穴に照明基板６０に繋がれる配線が通されるようになっている。すなわち、角筒状突出部１０２は、配線が通される配線通路となっている。
【００３４】
囲繞壁部８１の外側面には、図４および図５に示すように、外側に突出するリブ１１０が設けられている。また、リブ１１０は、囲繞壁部８１に対して略直角に設けられている。また、リブ１１０は、囲繞壁部８１の外側面を一周しており、リブ１１０は環状の板状となっている。また、リブ１１０は、外周形状が、凹凸した凹凸形状となっている。また、リブ１１０は、囲繞壁部８１の外側面において、前後に蛇行して形成されており、前後に凹凸した凹凸形状となっている。
またリブ１１０は、外側の端面（リブ１１０の突出方向における先端の面）が、後側ほど外側に向かうようにリブ１１０の突出方向に対して傾斜した傾斜面１１２となっている。
【００３５】
リブ１１０には、意匠部材６４のボス２２０を挿入するためのボス挿入孔１１５が、リブ１１０の周方向に離間して６つ設けられている。また、各ボス挿入孔１１５の側壁の一部は、囲繞壁部８１によって構成されており、各ボス挿入孔１１５部分は、囲繞壁部８１が内側に凹んだ状態となっている。また、ボス挿入孔１１５には、ネジを挿通させるためのネジ挿通孔１１６が形成されている。
【００３６】
静電気防止部材６２は、透明な非導電性の合成樹脂により一体的に成形されている。静電気防止部材６２は、図７に示すように、略平坦な板状の平板部１４０と、この平板部１４０の後面の周縁部に立設された壁部１４１とを備えている（図２参照）。壁部１４１は、平板部１４０の周縁部を１周するように設けられており、環状の環状壁部となっている。また、壁部１４１の外周面形状は、支持部材６１の囲繞壁部８１の内周面形状と略一致している。また、平板部１４０の端面は、壁部１４１の外側面よりも外側に突出しており、これにより、静電気防止部材６２には、その前面側において壁部１４１よりも外側に突出するフランジ部１４２が形成されている。また、フランジ部１４２は、壁部１４１の周方向略全域にわたり形成されている。また、平板部１４０の左下端部には、後述する突起部２２１が挿入される孔１４４が設けられており、平板部１４０の右端部上方には、後述する突起部２２１が挿入される切欠部１４５が形成されている（図２参照）。
【００３７】
静電気防止部材６２は、その壁部１４１が支持部材６１の囲繞壁部８１の内側に配置されるようにして、支持部材６１の照明基板収容部８２に嵌入されており、壁部１４１の外側面は、囲繞壁部８１の内側面に当接または近接している。また、フランジ部１４２の後面は、囲繞壁部８１の前端面と当接または近接している。また、壁部１４１の後端面は、背板８０の前面と当接または近接している。
また、壁部１４１は、支持部材６１の中間壁部９２よりも外側に位置している。すなわち、照明装置３４の内側から外側に向けて、照明基板６０、中間壁部９２、壁部１４１、そして囲繞壁部８１の順に配置されている（図１２参照）。
【００３８】
意匠シート６３は、文字が描かれた透光性を有する薄膜状の部材であり、照明基板６０からの光によって、光るようになっている。また、意匠シート６３の左下端部には、後述する突起部２２１が挿通される孔１８０が設けられており、意匠シート６３の右端部上方には、後述する突起部２２１が挿通される切欠部１８１が形成されている（図２参照）。
【００３９】
意匠部材６４は、照明装置３４の最も外側（前側）に配置され、スロットマシンＸを装飾する部材であり、意匠が施されている。
意匠部材６４は、後述する導電部２０５を除き、透光性を有する透明な非導電性の合成樹脂により一体的に成形されている。また、意匠部材６４は、図８および図９に示すように、板面を前後方向に向けた板状の前面板２００と、この前面板２００の周縁部から後方に向けて延出する側壁部２０１と、を備えている。また、側壁部２０１は、前面板２００の周縁部を一周するように設けられており、環状の環状壁部となっている。
【００４０】
前面板２００の後面は、略平坦な平坦面となっている。また、前面板２００の前面は、意匠シート６３に描かれた文字のうちの一部の文字に対向する部分が前方に突出しており、図示しない文字状の突出部が形成されている。
【００４１】
また、前面板２００の前面縁部と、側壁部２０１の外側面とには、導電性を有する金属（金）の薄膜が形成されており、この金属の薄膜が形成された部分は導電性を有する導電部２０５となっている。また、導電部２０５は、金属の薄膜により透光性を有しない不透明部分となっており、導電部２０５の裏側にある部材は遊技者から見えない状態となっている。なお、当該金属の薄膜は、前面板２００の前面縁部と側壁部２０１の外側面との全体にわたり形成されているが、これらの一部にのみ形成されていてもよい。
また、意匠部材６４は、前記金属の薄膜が形成された部分が凹凸した凹凸形状となっている。また、側壁部２０１の後端部は、前後に凹凸した凹凸形状となっている。
また、側壁部２０１の内側面および後端面２１１には、シボ加工が施されている。
【００４２】
意匠部材６４の後面の周縁部には、７つのボス２２０が離間して設けられている。また、意匠部材６４の後面には、意匠シート６３の位置決めをするための突起部２２１が離間して設けられている。また、７つのボス２２０と突起部２２１とは、全て導電部２０５の裏側に設けられており、遊技者から見えないよう導電部２０５によって隠されている。また、ボス２２０にはネジ孔２２０ａが形成されている。
【００４３】
意匠部材６４の側壁部２０１の後端部は、図１０に示すように、内側面側が面取りされた形状となっており、片几帳面形状となっている。具体的には、側壁部２０１の後端部は、内側面側が、前側に向けて一段凹んだ形状となっており、この一段凹んだ段差部分２１０から、側壁部２０１の後端面２１１に向けて、傾斜面２１２が形成されている。傾斜面２１２は、側壁部２０１が後端面に向かって肉薄となるように、後方に向けて延出する側壁部２０１の延出方向に対して傾斜した面となっている。なお、後端面２１１部分における側壁部２０１の厚みＴ１は、約１．０ｍｍとなっている。また、側壁部２０１の面取りされた形状となっていない部分の厚みＴ２は、約２．０ｍｍとなっている。
【００４４】
意匠部材６４は、照明基板６０および静電気防止部材６２の前面ならびに支持部材６１の囲繞壁部８１の外側面の一部を覆うようにして、支持部材６１と嵌合されている。具体的には、意匠部材６４の７つのボス２２０のうち６つのボス２２０それぞれが、支持部材６１の６つのボス挿入孔１１５それぞれに挿入されるとともに、意匠部材６４の傾斜面２１２と支持部材の傾斜面１１２とが略平行に対向して近接した状態となっている。また、意匠部材６４の前面板２００は、照明基板６０の前面に対向する対向面となっている。なお、本実施の形態の遊技機においては、傾斜面２１２と傾斜面１１２との間に約０．３ｍｍ程度の間隔が設けられているが、傾斜面２１２と傾斜面１１２とが当接するようになっていてもよい。また、意匠部材６４の側壁部２０１の後端面２１１は、支持部材６１のリブ１１０の後面と略面一となっている。すなわち、意匠部材６４の側壁部２０１の内側面後端部（傾斜面２１２）と、支持部材６１のリブ１１０の突出方向先端の面（傾斜面１１２）とはこれらの周方向において略等しい形状に凹凸しており、側壁部２０１の後端面２１１とリブ１１０の後面とはこれらの周方向において略等しい形状に凹凸している。
また、ボス挿入孔１１５のネジ挿通孔１１６に挿通されたネジが、ボス２２０にねじ込まれることで、意匠部材６４が支持部材６１に固定されている。
【００４５】
また、意匠シート６３は、意匠部材６４と静電気防止部材６２との間に挟み込まれた状態となっている。また、意匠部材６４の突起部２２１が、意匠シート６３の孔１８０または切欠部１８１に挿通されるとともに、静電気防止部材６２の孔１４４または切欠部１４５に挿入されることで、意匠シート６３が意匠部材６４および静電気防止部材６２に対して位置決めされている。
【００４６】
照明装置３５は、図１１に示すように、照明装置本体３００と、照明装置本体３００の左側の後方に配置される左側照明基板３０１と、照明装置本体３００の右側の後方に配置される右側照明基板３０２とを備えている。また、照明装置本体３００と、左側照明基板３０１と、右側照明基板３０２とは、ベース部材３１０に取り付けられて一体化されて上扉３０の上部に固定されている。すなわち、照明装置本体３００と、左側照明基板３０１と、右側照明基板３０２と、ベース部材３１０の一部とによって、照明装置３５が構成されている。
【００４７】
照明装置本体３００は、その中央部に配置された中央照明基板３２２と、この中央照明基板３２２を支持する中央基板支持部材３２１と、４つのレンズからなるレンズ群３２５とを備えている。
レンズ群３２５を構成する４つのレンズはすべて、透光性を有する合成樹脂により成形されており、前後方向に重ねて配置されている。また、中央照明基板３２２と、左側照明基板３０１と、右側照明基板３０２とは、板面を前後方向に向けてレンズ群３２５の後方に配置されており、その前面には、光源としてのＬＥＤ３２０が複数設けられている。また、中央照明基板３２２は、その後面側から、中央基板支持部材３２１によって支持されている。そして、レンズ群３２５は、中央照明基板３２２、左側照明基板３０１または右側照明基板３０２からの光によって照明され、光るようになっている。
なお、レンズ群３２５を構成する各レンズは、有色でも無色でもよく、平板状等の単純な形状でも何らかの形状（例えばキャラクターや文字、あるいは抽象的な形状など）を持つものであってもよい。すなわち、レンズ群３２５は、光源により照明され、遊技機を装飾するものであればよい。
【００４８】
照明装置本体３００の前面中央部には、照明装置３４が嵌入される意匠ユニット取付部３３０が設けられている。意匠ユニット取付部３３０は、照明装置本体３００の前面中央部に形成された凹部で、その内周面形状は、支持部材６１の囲繞壁部８１の外側面の意匠部材６４に覆われていない部分の形状と略一致している。また、意匠ユニット取付部３３０の周縁部は、意匠部材６４の側壁部２０１の後端面２１１と互いに当接または近接するように、後端面２１１と同様の形状に凹凸している。換言すると、レンズ群３２５を構成するレンズのうち、最も前側（外側）に配置されるレンズは、その前面中央部が後方に向けて凹んでおり、これにより意匠ユニット取付部３３０が形成されている。
【００４９】
また、照明装置本体３００の中央部には、意匠ユニット取付部３３０の底面からレンズ群３２５および中央照明基板３２２を貫通する円状の貫通孔３３１が４つ設けられている。また、貫通孔３３１は、支持部材６１のボス１００と略同径となっており、４つの貫通孔３３１のそれぞれには、４つのボス１００のそれぞれが挿入されるようになっている。また、照明装置本体３００の中央部には、意匠ユニット取付部３３０の底面からレンズ群を貫通する長方形状の貫通孔である角状貫通孔３３２が設けられている。
【００５０】
そして、照明装置３４は、ボス１００が貫通孔３３１に挿入され、角筒状突出部１０２が角状貫通孔３３２に挿入されるとともに、意匠部材６４の支持部材６１の背板８０の後面を意匠ユニット取付部３３０の底面に当接させ、意匠部材６４の側壁部２０１の後端面２１１を意匠ユニット取付部３３０の周縁部に近接または当接させた状態で、意匠ユニット取付部３３０に嵌入されている。
【００５１】
また、４つのボス１００の後端面は、中央基板支持部材３２１に当接しており、中央基板支持部材３２１に設けられたネジ挿通孔に後方から挿通されたネジがボス１００のネジ孔１００ａにねじ込まれることで、照明装置３４と照明装置本体３００とが互いに固定されている。
なお、レンズ群３２５を構成する各レンズは、互いにネジ止め等によって固定はされておらず、前後に隣接するレンズ同士がその一部を当接させた状態で照明装置３４と中央基板支持部材３２１とによって挟み込まれることにより前後方向の動きが規制されているとともに、４つのボス１００によって上下左右方向の動きが規制されている。
【００５２】
次に、照明装置３４における静電気の放電経路について、図１２および図１３を参照しながら説明する。図１２は、図８のＡ−Ａ線断面図の一部を拡大するとともに簡略化した図である。また、図１３は、図８のＢ−Ｂ線断面図の一部を拡大するとともに簡略化した図である。
意匠部材６４は、導電部２０５を有するため、遊技者がこの導電部２０５に触れた際等に、遊技者の体等から導電部２０５を介して照明基板６０の外面の前記導電部に向けて静電気（電気）が流れるおそれがある。そして、この静電気が流れることによって、照明基板６０（電子部品）が破壊されるおそれがある。この静電気は、意匠部材６４の導電部２０５から照明基板６０の前記導電部までの距離が長いほど流れにくく、例えば、２０ｋＶ程度の耐圧（電子回路基板（電子部品）が破壊されることなく耐えることができる電圧）を得るためには、２０ｍｍ程度の距離をとることが望ましい。すなわち、所望の耐圧を得るためには、意匠部材６４の導電部２０５から照明基板６０の前記導電部までの距離を所定の距離以上となるようにする必要がある。
【００５３】
以下では、照明基板６０の右側の領域６０Ｂの左右方向中央部の下側における静電気の放電経路Ｐと、照明基板６０の右側の領域６０Ｂの左右方向中央部の上側における静電気の放電経路Ｑと、照明基板６０の中間の領域６０Ｃの上側における静電気の放電経路Ｒと、照明基板６０の中間の領域６０Ｃの下側における静電気の放電経路Ｓとの、４つの放電経路について説明する。
【００５４】
放電経路Ｐ，Ｑ，Ｒ，Ｓのいずれの放電経路においても、導電部２０５から照明基板６０の前記導電部に向かう静電気は、まず、リブ１１０の突出方向先端付近を通過して意匠部材６４の内側に進入する。次いで、この静電気は、囲繞壁部８１の突出方向先端付近および囲繞壁部８１と壁部１４１との間の空間を通過して壁部１４１の突出方向先端付近に至る。
【００５５】
放電経路Ｐ上には、第二中間壁部９２ｂが存在するため、壁部１４１の突出方向先端付近に至った静電気は、壁部１４１と第二中間壁部９２ｂとの間の空間を通過して第二中間壁部９２ｂの突出方向先端付近に至る。次いで、この静電気は、第二中間壁部９２ｂの突出方向先端付近に近い照明基板６０の前記導電部に到達する。すなわち、第二中間壁部９２ｂ付近においては、壁部１４１の後端面が背板８０の前面と当接または近接しているとともに、壁部１４１の側面が囲繞壁部８１および第二中間壁部９２ｂに覆われており、支持部材６１と静電気防止部材６２とによって、断面略Ｕ字状（略コ字状）の通路Ｌが形成されており、第二中間壁部９２ｂ付近を通る静電気は、この通路Ｌを通過することになる。
このように、放電経路Ｐにおいては、囲繞壁部８１、壁部１４１および第二中間壁部９２ｂが、導電部２０５から照明基板６０への放電経路を遮るように配置されており、第二中間壁部９２ｂ付近を通過する静電気は、囲繞壁部８１、壁部１４１および第二中間壁部９２ｂを避けるように、これらを迂回して進むこととなる。したがって、これらが無い場合に比べ導電部２０５から照明基板６０への放電経路を長くすることができ、照明基板６０の破壊を防ぐことができる。
【００５６】
放電経路Ｑ，Ｒ，Ｓにおいても囲繞壁部８１および壁部１４１は、導電部２０５から照明基板６０への放電経路を遮るように配置されており、放電経路Ｑ，Ｒ，Ｓを通過する静電気は、囲繞壁部８１および壁部１４１を避けるように、これらを迂回して進むこととなる。しかし、放電経路Ｑ，Ｒ，Ｓ上には、中間壁部９２が存在せず、壁部１４１の突出方向先端付近に至った静電気は、この壁部１４１の突出方向先端付近に近い照明基板６０の前記導電部に直線的に向かうことができる。
【００５７】
ここで、放電経路Ｑにおいては、照明基板６０が壁部１４１から離れて配置されており、中間壁部９２が無くとも、放電経路の距離が十分に稼がれている。一方、放電経路Ｒおよび放電経路Ｓにおいては、照明基板６０が壁部１４１の近傍に配置されているが、照明基板６０の中間の領域６０Ｃの上端部および下端部の外面は、導電部禁止エリアＭ，Ｎとなっており導電部が配置されていないので、放電経路Ｒおよび放電経路Ｓにおいては、壁部１４１の突出方向先端付近から照明基板６０の外面の前記導電部までの距離が長くされており、中間壁部９２が無くとも放電経路の距離が十分に稼がれている。
【００５８】
なお、本実施の形態の放電経路Ｒおよび放電経路Ｓにおいては、照明基板６０を壁部１４１から離して配置したり、中間壁部９２を設けたりすることができないようになっている。これは、照明基板６０の中間の領域６０Ｃの上下方向の幅が狭く、この幅をこれ以上狭くすると照明基板６０の量産が困難となるため、当該幅を狭くすることができず、壁部１４１と照明基板６０との間にスペースを設けることができないからである。
【００５９】
このように、本実施の形態の遊技機においては、照明基板６０の側端面を覆い、照明基板６０に向かう静電気の進行を妨げる中間壁部９２を配置することができず、照明基板６０の側端面が中間壁部９２に覆われていない部分に導電部禁止エリアＭ，Ｎを設けることで、放電経路の距離が稼がれている。また、導電部禁止エリアＭ，Ｎが設けられていることにより、中間の領域６０Ｃにおける照明基板６０の側端面から照明基板６０の導電部までの距離は、照明基板６０の側端面が中間壁部９２に覆われている部分のうち照明基板６０の側端面と照明基板６０の導電部とが最も近接している部分における照明基板６０の側端面から照明基板６０の導電部までの距離よりも長くなっている。したがって、照明基板６０の側端面が中間壁部９２に覆われていない部分においても、放電経路を十分に長くすることができる。そして、これにより、導電部２０５から伝わる静電気によって照明基板６０が破壊されるのを防ぐことができる。
【００６０】
なお、照明基板６０の中間の領域６０Ｃの上端部および下端部は、その外面が非導電部とされており、ここから静電気が照明基板６０の内部や照明基板６０の外面に実装された電子部品に伝わることが防がれている。このため、中間の領域６０Ｃの上端部および下端部における照明基板６０の内部（内層）にはパターン（配線）を設けてもよい。しかし、中間の領域６０Ｃの上端部および下端部における照明基板６０の内部（内層）にパターンを設けてしまうと、この内部のパターンに対する静電気によるノイズの影響を、設計時等に検討する必要が生じたり、設計ミス等により基板外面に銅箔が露出してしまう部分を設けてしまうおそれが生じたりするため、中間の領域６０Ｃの上端部および下端部においては、外面だけでなく内部も含めパターン（導電部）を設けることを禁止するパターン禁止エリアとすることが望ましい。
【００６１】
また、従来の遊技機においては、リブ１１０のようなものは設けられていない。したがって、従来の遊技機においては、側壁部２０１は囲繞壁部８１に近接もしくは当接するように配置されるか、または、囲繞壁部８１から離れて配置されることとなる。側壁部２０１が囲繞壁部８１に近接または当接している場合には、導電部２０５から照明基板６０までの放電経路を十分に長くすることができず、照明基板６０の破壊を十分に防ぐことができないおそれがある。一方、側壁部２０１が囲繞壁部８１から離れて配置される場合には、側壁部２０１に、意匠部材６４の内側に向かう力が加えられた場合に、この力を側壁部２０１で受けなければならず、側壁部２０１等が破壊されてしまうおそれがある。しかし、本実施の形態の遊技機においては、支持部材６１がリブ１１０を備えているため、このリブ１１０の突出方向の長さ分、側壁部２０１が照明基板６０から離して配置されており、導電部２０５から照明基板６０への放電経路が長くなっている。したがって、導電部２０５から伝わる静電気による照明基板６０の破壊を防止することができる。また、リブ１１０が側壁部２０１の後端部の内側面に当接または近接しているため、側壁部２０１に、意匠部材６４の内側に向かう力が加えられた場合に、リブ１１０によって側壁部２０１を内側から支えることができる。すなわち、側壁部２０１の前面板２００から離れた部分がリブ１１０によって内側から支えていることにより、側壁部２０１が内側に向けて変形しないようにされている。したがって、側壁部２０１の剛性を高め、側壁部２０１が変形したり、破壊されたりするのを防ぐことができる。すなわち、意匠部材６４そして照明装置３４の剛性を高め、意匠部材６４そして照明装置３４が破壊されるのを防ぐことができる。
なお、リブ１１０は、側壁部２０１の外周を一周して設けられていなくてもよく、数か所に分かれて複数設けられている等してもよい。
【００６２】
また、リブ１１０は、その一部が背板８０の仮想延長線上や、この仮想延長線上付近に配置されている（図１２参照）。したがって、側壁部２０１に、意匠部材６４の内側に向かう力が加えられた場合に、リブ１１０を介して囲繞壁部８１に加わる力を、背板８０によって受けることができる。したがって、リブ１１０および背板８０によって、側壁部２０１や囲繞壁部８１が変形したり破壊されたりするのを防ぐことができる。すなわち、リブ１１０の一部が背板８０の仮想延長線上や、この仮想延長線上付近に配置されていることにより、側壁部２０１、囲繞壁部８１そして照明装置３４の剛性を高めることができる。
なお、リブ１１０は、その全体が背板８０の仮想延長線上またはこの仮想延長線上付近に配置されていてもよい。
【００６３】
また、支持部材６１には、囲繞壁部８１の内周面形状と略一致する外周面形状を有する壁部１４１を備える静電気防止部材６２が嵌入されており、囲繞壁部８１に近接または当接して、囲繞壁部８１に略平行な壁部１４１が配置されている。したがって、側壁部２０１に意匠部材６４の内側に向かう力が加えられた場合に、リブ１１０を介して囲繞壁部８１に加わる力を、壁部１４１（静電気防止部材６２）によって受けることができる。したがって、リブ１１０および壁部１４１（静電気防止部材６２）によって、側壁部２０１や囲繞壁部８１の剛性を高め、側壁部２０１や囲繞壁部８１が変形したり破壊されたりするのを防ぐことができる。すなわち、意匠部材６４そして照明装置３４の剛性を高め、意匠部材６４そして照明装置３４が破壊されるのを防ぐことができる。
【００６４】
また、静電気防止部材６２は、囲繞壁部８１の内側面に外側面が近接または当接する壁部１４１と、この壁部１４１と一体的に形成され、照明基板６０の前面と意匠部材６４の前面板２００との間に配置される平板部１４０とを備えているので、支持部材６１の囲繞壁部８１を迂回して導電部２０５から照明基板６０の前記導電部に向かう静電気は、静電気防止部材６２によって進行が妨げられ、静電気防止部材６２を迂回して照明基板６０に向かうこととなる。したがって、導電部２０５から照明基板６０に向かう静電気の放電経路を長くすることができ、導電部２０５から伝わる静電気によって照明基板６０が破壊されるのを防ぐことができる。
【００６５】
照明装置３４の後方には、照明装置３５があるため、照明装置３５の備える光源としてのＬＥＤ３２０が発光した際に、このＬＥＤ３２０の光によって照明装置３４の意匠部材６４等が光ってしまうかにも思える。しかし、照明装置３４の後方から照明装置３４に向かってくる光は、基本的には支持部材６１または照明基板６０に遮られるので、ＬＥＤ３２０が発光しても意匠部材６４はほとんど光らないようになっている。ここで、意匠部材６４の側壁部２０１は、照明基板６０や支持部材６１よりも側方に配置されているため、側壁部２０１の後端面２１１からＬＥＤ３２０からの光が入射し、意匠部材６４が強く光ってしまうかにも思える。しかし、意匠部材６４の側壁部２０１は、後端部の内側面側が面取りされた形状となっているため、後端面２１１の面積を小さくでき、後端面２１１から入射する光の量を少なくしてＬＥＤ３２０からの光による意匠部材６４の発光を抑えることができる。また、側壁部２０１の内側面および後端面２１１には、シボ加工が施されているので、側壁部２０１の内側面または後端面２１１に向かってきた光を拡散させることができ、ＬＥＤ３２０からの光による意匠部材６４の発光を抑えることができる。
【００６６】
また、側壁部２０１の後端部は、片几帳面形状とされていることにより、後端部の厚みが薄くされている。例えば、片几帳面形状ではなくしゃくり面形状等とした場合には、後端面２１１部分における側壁部２０１の厚みを１．２ｍｍ程度としなければ、意匠部材６４の製造において良品を離型することができない。しかし、片几帳面形状とすることで、後端面２１１部分における側壁部２０１の厚みを１．０ｍｍ程度としても良品を離型することができる。したがって、後端面２１１の面積を小さくでき、後端面２１１から入射する光の量を少なくしてＬＥＤ３２０からの光による意匠部材６４の発光を抑えることができる。
【００６７】
なお、本実施の形態においては、照明装置３４を例として、その内部に設けられた基板の静電気による破壊を防止すること、および、意匠部材６４（照明装置３４）の剛性を高め意匠部材６４の破壊を防止することについて説明したが、本発明の適用範囲は照明装置のみに限定されるものではない。すなわち、照明装置３４は意匠が施された組立体であって発光しない意匠ユニットであってもよく、照明基板６０はＬＥＤ７０のような光源を備えておらず発光しない電子回路基板であってもよく、意匠部材６４は光源からの光によって光るものでなくてもよい。また、静電気防止部材６２は、光を透過させるものでなくてもよく、単に静電気の通過を妨げる中間部材または／および意匠ユニットの剛性を高めるための中間部材であってもよい。また、静電気防止部材６２の平板部１４０には、光を拡散したり集光したりするための加工が施されていてもよい。
【符号の説明】
【００６８】
６０  照明基板（電子回路基板）
６１  支持部材
６２  静電気防止部材（中間部材）
６４  意匠部材
８０  背板（板状部）
８１  囲繞壁部（壁部）
１１０  リブ
１４０  平板部（第二の板状部）
１４１  壁部（第二の壁部）
２００  前面板（対向面）
２０１  側壁部
２０５  導電部
【図１】
2018196475.tif 000003
【図２】
2018196475.tif 000004
【図３】
2018196475.tif 000005
【図４】
2018196475.tif 000006
【図５】
2018196475.tif 000007
【図６】
2018196475.tif 000008
【図７】
2018196475.tif 000009
【図８】
2018196475.tif 000010
【図９】
2018196475.tif 000011
【図１０】
2018196475.tif 000012
【図１１】
2018196475.tif 000013
【図１２】
2018196475.tif 000014
【図１３】
2018196475.tif 000015